(57)【要約】【課題】映像記録装置において、テレビ放送波を録画する画質の高低レベルが電波状況に応じて自動設定され、録画装置の記録媒体を非能率に使用するといったことをなくす。【解決手段】アナログ放送波の電波強度を検知するためにチューナの中間周波のＡＧＣレベル及び／又はビデオ信号に含まれるノイズを検出し、制御マイコン６はその検出値に基づいて録画装置５に対する録画モード設定信号を出力する。録画装置５は、録画モード設定信号に基づく録画画質レベルで動作する。これにより、画質が良いときは高画質モードで録画し、画質が悪いときは低画質モードで録画することができ、録画装置５の記録媒体を効率良く使用することができる。【選択図】    図１
2004328086.tif 000002
【特許請求の範囲】
【請求項１】
テレビ放送波を受信するチューナと、そのチューナにより受信した放送波に含まれるビデオ信号を記録媒体に記録する録画装置とを備え、この録画装置による録画画質の高低レベルを任意に設定可能な録画モードを有した映像記録装置において、
録画モードが自動的に適宜のモードに設定されるオートモードを有し、
アナログ放送波の電波強度を検知するために前記チューナの中間周波のＡＧＣレベル及び／又はビデオ信号に含まれるノイズを検出する検出手段と、
オートモード時に、前記検出手段による検出値に基づいて前記録画装置での録画モードを設定するための信号を出力する制御手段とを備え、
前記録画装置は、前記制御手段から出力される録画モード設定信号に基づく録画画質レベルで動作することを特徴とする映像記録装置。
【請求項２】
テレビ放送波を受信するチューナと、そのチューナにより受信した放送波に含まれるビデオ信号を記録媒体に記録する録画装置とを備え、この録画装置による録画画質の高低レベルを任意に設定可能な録画モードを有した映像記録装置において、
放送波の電波強度を検出する検出手段と、
前記検出手段による検出に基づいて録画モードを設定するための信号を出力する制御手段とを備え、
前記録画装置は、前記制御手段から出力される録画モード設定信号に基づく録画画質レベルで動作することを特徴とする映像記録装置。
【請求項３】
前記検出手段は、放送波の電波強度を検知するために前記チューナの中間周波のＡＧＣレベル又はビデオ信号に含まれるノイズを検出することを特徴とする請求項２に記載の映像記録装置。
【発明の詳細な説明】
【０００１】
【発明の属する技術分野】
本発明は、テレビ放送波を受信して録画する際の録画画質の高低レベルを任意に設定可能な録画モードを有する映像記録装置に関する。
【０００２】
【従来の技術】
従来から、アナログテレビ放送波を受信して録画する映像記録装置においては、電波状況には関係なく、ユーザにより設定した録画画質により録画される。そのため、電波状況が良くないにも拘わらず、高画質で録画するといったことがあった。また、デジタルテレビ放送を記録する映像記録装置においては、デジタル信号に含まれるビットレートの最大値に関する情報を検出し、その結果を基に録画レートを判断して、その録画レートで録画動作するものが知られている（例えば、特許文献１）。
【０００３】
【特許文献１】
特開２００２−７７８１７号公報
【０００４】
【発明が解決しようとする課題】
しかしながら、上述したような従来装置においては、アナログ放送を記録する装置においては、高画質で録画する状況にはない、つまり、低画質で録画すればよい状況であるにも拘わらず、高画質で録画するようなことになる。このため、録画装置の記録媒体、例えば、ハードディスクの記録領域を非能率に使用することになっていた。また、上述の特許公報に示される技術は、ビットレートに関する情報を含んでいないアナログ放送には、適用できない。
【０００５】
本発明は、上記問題を解消するものであり、テレビ放送波を受信して録画する録画モードすなわち録画画質の高低レベルが電波状況に応じて自動設定され、録画装置の記録媒体を非能率に使用するといったことのない映像記録装置を提供することを目的とする。
【０００６】
【課題を解決するための手段及び発明の効果】
上記目的を達成するために、請求項１に記載の発明は、テレビ放送波を受信するチューナと、そのチューナにより受信した放送波に含まれるビデオ信号を記録媒体に記録する録画装置とを備え、この録画装置による録画画質の高低レベルを任意に設定可能な録画モードを有した映像記録装置において、録画モードが自動的に適宜のモードに設定されるオートモードを有し、アナログ放送波の電波強度を検知するために前記チューナの中間周波のＡＧＣレベル及び／又はビデオ信号に含まれるノイズを検出する検出手段と、オートモード時に、前記検出手段による検出値に基づいて前記録画装置での録画モードを設定するための信号を出力する制御手段とを備え、前記録画装置は、前記制御手段から出力される録画モード設定信号に基づく録画画質レベルで動作するものである。
【０００７】
上記構成においては、検出手段はアナログ放送波の電波強度を検知するためにチューナの中間周波のＡＧＣレベル及び／又はビデオ信号に含まれるノイズを検出し、制御手段は、オートモード時に、検出手段による検出値に基づいて録画装置での録画モードを設定するための信号を出力し、録画装置は、その録画モード設定信号に基づく録画画質レベルで動作する。これにより、比較的簡単な構成によりアナログ放送波の電波強度を検知することができ、放送波の電波強度に応じて、画質が良いときは高画質モードで録画し、画質が悪いときは低画質モードで録画することができる。その結果、録画装置の記録媒体を効率良く使用することが可能となる。
【０００８】
請求項２に記載の発明は、テレビ放送波を受信するチューナと、そのチューナにより受信した放送波に含まれるビデオ信号を記録媒体に記録する録画装置とを備え、この録画装置による録画画質の高低レベルを任意に設定可能な録画モードを有した映像記録装置において、放送波の電波強度を検出する検出手段と、前記検出手段による検出に基づいて録画モードを設定するための信号を出力する制御手段とを備え、前記録画装置は、前記制御手段から出力される録画モード設定信号に基づく録画画質レベルで動作するものである。
【０００９】
この構成においては、検出手段は放送波の電波強度を検出し、制御手段はこの検出に基づいて録画モードを設定するための信号を出力し、録画装置はこの録画モード設定信号に基づく録画画質レベルで動作する。このため、放送波の電波強度に応じて、画質が良いときは高画質モードで録画し、画質が悪いときは低画質モードで録画する。その結果、録画装置の記録媒体を効率良く使用することが可能となる。
【００１０】
請求項３に記載の発明は、請求項２に記載の映像記録装置において、検出手段は、放送波の電波強度を検知するためにチューナの中間周波のＡＧＣレベル又はビデオ信号に含まれるノイズを検出するものである。この構成においては、比較的簡単な構成によりアナログ放送波の電波強度を検知することができる。
【００１１】
【発明の実施の形態】
以下、本発明を具体化した一実施形態に係る装置について図面を参照して説明する。図１は本発明の実施の形態にかかる映像記録装置のブロック構成を示す。この映像記録装置は、フロントエンド装置として、外部からのアナログテレビ放送波に含まれるＲＦ信号をアンテナ１にて受信し、ＲＦ信号の中から選局信号で指定されたチャネルを選択し、増幅して、中間周波数に変換しＩＦ信号として出力するチューナ２と、このＩＦ信号を増幅し、復調してコンポジットＴＶ信号として出力するＩＦ回路３と、ＲＦ・ＡＧＣ電圧及びＩＦ・ＡＧＣ電圧を出力してチューナ２とＩＦ回路３の増幅度を制御するＡＧＣ（自動利得制御）回路４とを備える。
【００１２】
また、映像記録装置は、ＩＦ回路３からのビデオ信号を入力して映像を録画する録画装置５と、録画モード信号を録画装置５に出力する制御マイコン６と、ビデオ信号に含まれるノイズレベルを検出する周知のノイズ検出回路７と、ユーザが操作指令を制御マイコン６に対して入力する操作部８とを備える。録画装置５としては、ハードディスクやＶＣＲが用いられる。
【００１３】
チューナ２は、入力される選局信号が指定するチャネルを外部から入来するＲＦ信号の中から選択し、出力する同調回路と、加えられるＲＦ・ＡＧＣ電圧により増幅度を制御され同調回路の出力を増幅するＲＦ増幅回路と、ＲＦ増幅回路の出力を所定の中間周波数に変換し、ＩＦ信号として出力する周波数変換回路とを備えている。また、ＩＦ回路３は、ＩＦ・ＡＧＣ電圧により増幅度が制御され、周波数変換回路の出力を増幅するＩＦ増幅回路と、ＩＦ増幅回路の出力を復調して出力するＩＦ復調回路とを備えている。
【００１４】
制御マイコン６は、録画装置５の録画モードを、高画質、標準、低画質の各モードにユーザ設定により任意に設定する機能を有する他に、自動で録画モードが設定されるオートモードを選択する機能を有する。そして、このオートモード設定時に、制御マイコン６は、ＡＧＣ回路４からのＩＦ・ＡＧＣ電圧とノイズ検出回路７からのノイズレベルとを受けて録画モード信号を出力する機能を有する。ＡＧＣ回路４からのＩＦ・ＡＧＣ電圧とノイズ検出回路７からのノイズレベルは、受信する電波の状況に応じて変動するものであるため、これらを基に録画モード信号を出力することで、画質が良いときは高画質モード、また、画質が悪いときは低画質モードを適宜に自動設定することができる。電波状況の検出のためには、ＩＦ・ＡＧＣ電圧、及びノイズ検出回路７からのノイズレベルを検出してもよいが、いずれか一方であってもよい。
【００１５】
図２は、ＲＦレベル変化に対するＩＦ・ＡＧＣレベルの関係を示す。これより、ＩＦ・ＡＧＣレベルに応じて録画モードを適宜に設定すれば、ＲＦレベルすなわち、電波状況に応じた設定が可能となる。
【００１６】
図３は制御マイコン６の動作フローを示す。ここでは、ＩＦ・ＡＧＣ電圧を検出する例を示している。録画モードがオート設定であれば（＃１）、ＩＦ・ＡＧＣレベルを検出し（＃２）、ＩＦ・ＡＧＣレベルに応じて録画モードを自動設定する（＃３）。ここでは、高画質録画モード（＃４）、標準モード（＃５）、低画質モード（＃６）、及び録画中止（＃７）のいずれかが設定される。録画中止は、電波状況が極めて悪い場合に設定される。こうして、放送波の電波強度に応じて、画質が良いときは高画質モードで録画し、画質が悪いときは低画質モードで録画することができ、その結果、録画装置の記録媒体を効率良く使用可能となる。
【００１７】
また、上記のように、電波状況の検出のために、ＡＧＣ回路４からのＩＦ・ＡＧＣ電圧及び／又はノイズ検出回路７からのノイズレベルを用いているので、比較的簡単な構成によりアナログ放送波の電波強度を検知することができる。
【００１８】
なお、本発明は上記実施形態の構成に限られることなく種々の変形が可能であり、例えば、電波状況の検出のための手段としては上記実施形態と同等の信号を使用することが可能である。
【図面の簡単な説明】
【図１】本発明の一実施形態に係る映像記録装置のブロック構成図。
【図２】ＲＦレベルとＩＦ・ＡＧＣとの関係図。
【図３】同装置における制御マイコンの動作のフローチャート。
【符号の説明】
２  チューナ
３  ＩＦ回路
４  ＡＧＣ回路
５  録画装置
６  制御マイコン
７  ノイズ検出回路
【図１】
2004328086.tif 000003
【図２】
2004328086.tif 000004
【図３】
2004328086.tif 000005